(57)【要約】【課題】ユーザーの持ち運ぶカメラセットに合わせて、必要最小限のサイズで構成可能なカメラバッグを提供するものである。【解決手段】カメラボディケース１とレンズケース２、３を、また、レンズケース２、３同士を着脱可能とする。着脱の方法として、カメラボディケース１の下面にフックを、前記レンズケース２、３の上面にループを備え、かつ下面にフックを備え、カメラボディケースに複数のレンズケース２、３を連結する機能を備える。【選択図】        図３
2007105091.tif 000002
【特許請求の範囲】
【請求項１】
カメラボディと、このカメラボディに着脱自在に装着される交換レンズとを収容するカメラバッグにおいて、
前記カメラボディを収容するカメラボディケースと、前記交換レンズを収容するレンズケースと、前記カメラボディケースと前記レンズケースとを着脱自在に連結する連結部を備えていることを特徴とするカメラバッグ。
【請求項２】
前記レンズケース同士を互いに着脱自在に連結する連結部を備えていることを特徴とする請求項１記載のカメラバッグ。
【請求項３】
前記連結部は、前記カメラボディケース、または前記レンズケースの一方に設けられたフックと、他方に設けられたループとで構成されていることを特徴とする請求項１ないし２いずれか記載のカメラバッグ。
【請求項４】
カメラボディと、このカメラボディに着脱自在に装着される交換レンズとを収容するカメラバッグにおいて、
前記カメラボディを収容するカメラボディケースと、前記交換レンズを収容するレンズケースと、前記カメラボディケースと前記レンズケースを連結する紐が挿通する挿通部を備えていることを特徴とするカメラバッグ。
【請求項５】
前記カメラボディケースに収容するカメラボディのマウント部を露呈させる開閉蓋を設けていることを特徴とする請求項１ないし４いずれか記載のカメラバッグ。
【請求項６】
カメラボディに着脱自在に装着される交換レンズを収容し、前記カメラボディに装着するマウント部のみを露呈させ、前記マウント部以外の前記交換レンズの全表面を覆うカバーと、前記カバーを前記交換レンズの鏡筒に固定し、前記カバー表面における操作により前記固定状態の解除によりレンズからカバーを分離可能なストッパー機構から構成されることを特徴とするレンズケース。
【発明の詳細な説明】
【技術分野】
【０００１】
この発明は、カメラボディと複数の交換レンズを含むレンズ交換式カメラシステムを収納するためのカメラバッグに関する。
【背景技術】
【０００２】
レンズ交換式カメラは、撮影目的に応じてレンズを交換できるという利便性を備える反面、カメラボディと複数の交換レンズを常に携帯しなければいけないという持ち運びに関する不便さを免れない。また、カメラボディとレンズとの着脱やレンズ交換も必ずしも簡易な操作性とは言いがたい。従って、レンズ交換式カメラであっても、レンズをカメラボディに装着したままの状態で携帯し使用するケースも多い。この場合、複数の交換レンズが装着できるというレンズ交換式カメラシステムの特徴が全く功を奏さなくなってしまう。そこで、カメラボディと複数の交換レンズを効率よく収納するための方法が提案されている。
【０００３】
特許文献１では、カメラのネックストラップにレンズ保持用のマウント部を設け、レンズの持ち運びを容易する方法が提案されている。
【０００４】
また、特許文献２では、カメラボディと複数のレンズを収納するシステムケースが提案されている。
【０００５】
さらに、特許文献３では、カメラバッグ内にレンズ保持用の紐を設けることで、レンズ同士の干渉を避け、取り外しを容易にする方法が提案されている。
【特許文献１】特開２０００−１８７２７１号公報
【特許文献２】特開平９−４７３１３号公報
【特許文献３】実新第３００１７６５号公報
【発明の開示】
【発明が解決しようとする課題】
【０００６】
しかしながら、どの提案もカメラボディと必要な分だけのレンズを簡易かつ安全に持ち運びできるものにはなっておらず、かさばってしまい持ち運びには不便である。
【０００７】
本発明は、上記課題を解決するためになされたもので、ユーザーの持ち運ぶカメラセットに合わせて、必要最小限のサイズで構成可能なカメラバッグを提供するものである。
【課題を解決するための手段】
【０００８】
カメラボディと、このカメラボディに着脱自在に装着される交換レンズとを収容するカメラバッグに、前記カメラボディを収容するカメラボディケースと、前記交換レンズを収容するレンズケースと、前記カメラボディケースと前記レンズケースとを着脱自在に連結する連結部を備える。
【０００９】
さらに前記レンズケース同士を互いに着脱自在に連結する連結部を備える。
【００１０】
前記連結部は、前記カメラボディケース、または前記レンズケースの一方に設けられたフックと、他方に設けられたループとで構成する。
【００１１】
また、カメラバッグに前記カメラボディを収容するカメラボディケースと、前記交換レンズを収容するレンズケースと、前記カメラボディケースと前記レンズケースを連結する紐が挿通する挿通部を備える。
【００１２】
さらに、前記カメラバッグに、前記カメラボディケースに収容するカメラボディのマウント部を露呈させる開閉蓋を設ける。
【００１３】
また、カメラボディケースの表面に開閉可能な蓋を設け、蓋の開放時に露出するカメラボディのマウント部にレンズを装着可能とする。
【００１４】
また、レンズケースにおいて、カメラボディに着脱自在に装着される交換レンズを収容し、前記カメラボディに装着するマウント部のみを露呈させ、前記マウント部以外の前記交換レンズの全表面を覆うカバーと、前記カバーを前記交換レンズの鏡筒に固定し、前記カバー表面における操作により前記固定状態の解除によりレンズからカバーを分離可能なストッパー機構を備える。
【発明の効果】
【００１５】
カメラボディケースとレンズケース、さらにレンズケース同士を互いに着脱可能とすることでカメラバッグを必要最小限の構成にして持ち運びができる。
【００１６】
前記の着脱の方法として、フックとループを用いることにより、簡易に着脱ができ、利便性が向上する。
【００１７】
前記の着脱の方法として、紐を用いることにより、カメラボディケースとレンズケースの連結部分の安定度をより高めることができ、カメラバッグの品質を高めることができる。
【００１８】
また、カメラボディケースの表面に開閉可能な蓋を設け、蓋の開放時にカメラボディのマウント部を露出させることで、持ち運び中においても蓋を開放することで即時にレンズを着脱可能とし、ユーザーにシャッターチャンスを逃さないメリットを提供する。
【００１９】
また、カバーを被り、マウント部を露呈したまま、カメラボディのマウント部に着脱可能なレンズケースにより、カメラボディとの安易なレンズ交換が可能となり、ユーザーにシャッターチャンスを逃さないメリットを提供し、また、レンズ交換に動作が少ないので初心者のユーザーでも安全にレンズ交換を行えるメリットを提供する。
【発明を実施するための最良の形態】
【００２０】
図１に本発明のカメラバッグを示す。カメラバッグ５０は、カメラボディを収容するカメラボディケース１とそれぞれ異なる種類の交換式レンズを収納するレンズケース２、３から構成されている。カメラボディケース１の底面にフック面４を、また、レンズケース２、３の上面にループ面８、９を、かつ、底面にフック面５、６を設けて、それぞれにマジックテープ（登録商標）やベルクロ等のループとフックを実装することで、カメラボディケース１は底面にレンズケース２、３を着脱可能であり、また、レンズケース２、３の上面にカメラボディケース１または他のレンズケース３を着脱可能な構成とする。
【００２１】
例えば、ユーザーが1種類のレンズしか必要としない場合、図２に示すようにカメラボディケース１の底面にレンズケース３を一つだけ連結した構成のカメラバッグ５１にして持ち運べばよい。また、２種類のレンズを必要とする場合は図３に示すようにカメラボディケース１の底面にレンズケース２を、さらに前記レンズケース２の底面に別のレンズケース３を連結した構成のカメラバッグ５２にして持ち運べばよい。さらに、3種類以上のレンズを必要とする場合も同様に連結するレンズケースの数を増やしていけば良い。
【００２２】
また、紐でカメラボディケース１とレンズケース２を連結する方法も有効である。
図４にベルト１１を用いてカメラボディケース１とレンズケース２を連結してカメラバッグ５３を構成した例を示す。ベルト１１はカメラボディケース１にボタンなどにより一端が固定され、カメラボディケース１及びレンズケース２の側面に固定された挿通部１２を通すことで、カメラボディケース１とレンズケース２の表面における引き回しルートが固定され、連結が外れることを防止する。さらにカメラボディケース１の側面に設けたバックル１０によりベルト１１の長さを調節可能とし、レンズケース２、３が複数個連結されてもベルト１１の長さを延長することで連結できるようにする。
【００２３】
さらに、図５に示すようにショルダーストラップ１３を挿通部１４に通し、止め具１５により長さを調節機能を設けることでカメラボディケース１とレンズケース２を連結すれば、前述したベルト１１を用いた場合と比べてさらに持ち運びがより簡易で、なおかつ、レンズケース２の落下防止に対してより堅固なカメラバッグ５４を構成することができる。
【００２４】
このようにカメラボディケース１とレンズケース２、３を互いに着脱自在とすることで、ユーザーの用途に合う必要最小限の構成のカメラバッグ５０、５１、５２、５３、５４を提供することができる。
【００２５】
次にレンズ交換を簡易にする発明について説明する。
図６に示すように、カメラボディケース１６に開閉蓋１７を設けてカメラボディのマウント部１９が露呈するようにしておけば、開閉蓋１７を開放した状態で簡易にレンズ２１の着脱を行うことができる。これにより、ユーザーがカメラバッグ５５を持ち運び中、即時にレンズ２１の着脱が可能であるので、突然のシャッターチャンスを逃さないようにできる。なお、開閉蓋１７とカメラボディケース１６の接触個所にベルクロ１８、２０などのフックとループを設けて固定可能にすれば、持ち運び中に意図せず開閉蓋１７が開いてしまう等の事故を防ぐことが可能である。
【００２６】
次にレンズ交換が容易となるレンズケースの発明について説明する。
図８において、レンズケース３０は、二重構造になったカバー３６と、カバー３６に内包された押さえ金具３３と、レンズケース３０をレンズ３１の鏡筒に固定するためのストッパー３４から構成される。カバー３６は、レンズ３１のマウント部３８のみを露出させ、マウント部３８を除くレンズ３１全体を覆う。押さえ金具３３は、２つの同様な半円状の金具を間接部３９にてビス等の手段で連結し、これにより構成されたリングの直径を軸として回動できるようにしたものである。グリップ３７は、押さえ金具３３のリングの直径を挟んで対象な両端部に接着剤等の手段で固着された板状の金具で、押さえ金具３３を境にしてマウント部３８側はレンズ３１の鏡筒表面と平行に、一方、レンズの先端側は外方向に屈折している。ユーザーが、２つのグリップ３７の屈折している個所を同時に押下することで、押さえ金具３３の間接部３９が回動し、グリップ３７のマウント部３８側の先端に接着剤等の手段で固着されたストッパー３４が持ち上がりレンズ３１の鏡筒から離れる構造となっている。ストッパー３４はゴム等の素材でできており、通常はレンズ３０と接触することでカバー３６をレンズ３１に固定しており、前述したグリップ３７をユーザーが握るとストッパー３４が外側に持ち上がりレンズ３１より離れる。なお、ユーザーがグリップ３７から手を緩めるとストッパー３４が元の通りレンズ３１を固定できる鏡筒と平行な位置に戻るように、押さえ金具３３及び間接部３９にバネ機構を設けると良い。
【００２７】
次に前述したレンズケース３０のカメラボディ３２への取り付けについて説明する。図７において、レンズ３１に装着したまま、レンズケース３０をカメラボディ３２のマウント部３５に正しく差込み装着すると、図８のようにレンズのマウント部３８とカメラボディ３２のマウント部３５が正常に組み合った状態となる。その後、グリップ３７を握ったままカメラボディ３２から遠ざかる方向に引っ張ると、前述した通り押さえ金具３３が間接部３９にて回動してストッパー３４がレンズ３１の鏡筒から離れるため、レンズ３１がカメラボディ３２に装着されたままレンズケース３０のみレンズ３１から外すことができる。これによりカメラが撮影可能状態となる。
【００２８】
以上の動作を従来のレンズケースを取り付ける場合と比較してみる。図１０に従来のレンズケースの場合を、図１１に本発明のレンズケースの場合の取り付けの手順のフローを簡易に示す。図１０と図１１を比較すると判るとおり、本発明のレンズケースを用いればより少ない動作でレンズ交換が可能となるため、初心者でも安全にレンズ交換を行うことができ、また、短時間でレンズ交換が実現可能となりであるため、ユーザーがカメラの持ち運び中に突然訪れるシャッターチャンスを逃す可能性が少なくなる。
【００２９】
なお、図７から図９の実施例におけるレンズ３１は、マウント側からの埃等が入ることがない、レンズと撮像素子が一体となったものを前提としている。
【００３０】
本発明の実施形態におけるカメラボディケース１、１６とレンズケース２，３の連結は上下方向で示したが、横方向の連結も可能である。
【００３１】
また、本発明の実施形態におけるカメラボディケース１、１６とレンズケース２，３の連結方法としてフック及びループと紐による方法を示したが、ファスナやボタンによる方法でも良い。
【００３２】
さらに、本発明の実施例におけるカメラボディケース１、１６とレンズケース２，３の紐による連結方法について、紐をバックル１０や止め具１５で長さ調整する例を示したが、ボタンやダブルリングで実現しても良い。
【００３３】
また、図６にて前述したカメラボディのマウント部１９が開閉蓋１７の開放により露出可能としたカメラボディケース１６と併せて用いれば、ユーザーがカメラの持ち運び中に突然訪れるシャッターチャンスを逃す可能性もさらに少なくなる。
【図面の簡単な説明】
【００３４】
【図１】フックとループを用いたカメラバッグの構成例である。
【図２】カメラボディ収納部にレンズ収納部を１つを連結したカメラバッグの構成例である。
【図３】カメラボディ収納部にレンズ収納部を２つを連結したカメラバッグの構成例である。
【図４】カメラボディ収納部にレンズ収納部を１つをベルトにより連結したカメラバッグの構成例である。
【図５】カメラボディ収納部にレンズ収納部を１つをショルダーストラップにより連結したカメラバッグの構成例である。
【図６】カメラボディ収納部にカメラボディのマウント部を露出させる開閉蓋を備えたカメラバッグの構成例である。
【図７】本発明のレンズケースである。（カメラボディから分離時）
【図８】本発明のレンズケースである。（カメラボディと接続時）
【図９】本発明のレンズケースである。（レンズからレンズケースを分離時）
【図１０】従来のレンズケースの場合のカメラボディへのレンズ取り付けフローである。
【図１１】本発明のレンズケースの場合のカメラボディへのレンズ取り付けフローである。
【符号の説明】
【００３５】
１，１６  カメラボディケース
２，３  レンズユニットケース
４，５，６  フック面
８，９ループ面
１０  バックル
１１  ベルト
１３  ショルダーストラップ
１２，１４  挿通部
１５  止め具
１７  開閉蓋
１８，２０  ベルクロ
１９，３５，３８  マウント部
２１，３１  レンズ
３０  レンズケース
３２  カメラボディ
３３  押さえ金具
３４  ストッパー
３６  カバー
３７  グリップ
３９  間接部
５０、５１、５２、５３、５４、５５  カメラバッグ
【図１】
2007105091.tif 000003
【図２】
2007105091.tif 000004
【図３】
2007105091.tif 000005
【図４】
2007105091.tif 000006
【図５】
2007105091.tif 000007
【図６】
2007105091.tif 000008
【図７】
2007105091.tif 000009
【図８】
2007105091.tif 000010
【図９】
2007105091.tif 000011
【図１０】
2007105091.tif 000012
【図１１】
2007105091.tif 000013